(57)【要約】【課題】中間層の両面に樹脂フィルムが積層されてなる透光性を有する和風照明器具カバー材料、和風照明器具カバー及び和風照明器具である場合であっても、低誘虫性であり、複雑なデザインにも対応可能である和風照明器具カバー材料、和風照明器具カバー及び和風照明器具を提供する。【解決手段】和風照明器具カバー材料１は、中間層２の両面に樹脂フィルム３が積層されてなる透光性を有する和風照明器具カバー材料１であって、紙又は不職布からなる中間層２に紫外線吸収剤４が保持されてなる。【選択図】図１
2007122978.tif 000002
【特許請求の範囲】
【請求項１】
中間層の両面に樹脂フィルムが積層されてなる透光性を有する和風照明器具カバー材料であって、紙又は不職布からなる中間層に紫外線吸収剤が保持されてなる和風照明器具カバー材料。
【請求項２】
中間層の両面に樹脂フィルムが積層されてなる透光性を有する和風照明器具カバー材料であって、紙又は不職布からなる中間層に害虫忌避剤が保持されてなる和風照明器具カバー材料。
【請求項３】
請求項１又は２に記載の和風照明器具カバー材料を用いてなる和風照明器具カバー。
【請求項４】
請求項３に記載の和風照明器具カバーを用いてなる和風照明器具。
【発明の詳細な説明】
【技術分野】
【０００１】
本発明は、中間層の両面に樹脂フィルムが積層されてなる透光性を有する和風照明器具カバー材料、和風照明器具カバー及び和風低誘虫照明器具に関するものである。
【背景技術】
【０００２】
従来から、中間層の両面に樹脂フィルムが積層されてなる透光性を有する和風照明器具カバー材料、和風照明器具カバー及び和風照明器具として、特開２００３−２５５１４号公報（特許文献１）に記載されている技術が知られている。
【０００３】
これは、和紙の表裏面に透光性のある合成樹脂フィルムを貼着一体化した装飾合成樹脂シートであって、合成樹脂フィルムと和紙とが接着性を有する帯電防止性アンカーコート剤よりなる帯電防止中間層により貼着されてなるものを和風照明器具カバー材料とするものである。
【０００４】
また、最近の照明器具においては、光による蛾類等の昆虫類の誘引、いわゆる誘虫性を低減させることが求められており、例えば照明器具の樹脂製照明カバーに特定の紫外線吸収剤を保持させることで誘虫性を低減させる技術として特開２０００−６７６２９号公報（特許文献２）に記載されている技術が知られている。また、紫外線吸収剤に替えて、害虫忌避剤を保持させる場合もある。
【特許文献１】特開２００３−２５５１４号公報
【特許文献２】特開２０００−６７６２９号公報
【発明の開示】
【発明が解決しようとする課題】
【０００５】
しかしながら、中間層の両面に合成樹脂フィルムが積層されてなる和風照明器具カバー材料に、低誘虫性を付与するために合成樹脂フィルムに紫外線吸収剤を保持させると、フィルムの厚み制限から十分な量を保持させることができず、低誘虫性を発現できない可能性がある。またフィルム厚みを大きくすると加工性が低下する可能性がある。
【０００６】
そのため、かかる和風照明器具カバー材料を用いてなる和風照明器具カバーでは、低誘虫性を発現できないか、低い加工性のために複雑なデザインを採用することができない可能性がある。
【０００７】
さらに、かかる和風照明器具カバーを用いてなる和風照明器具では、複雑な凹凸形状があると、誘引された蛾類等の昆虫類が蓄積されて汚れとなり、照明器具のメンテナンスが煩雑となる。
【０００８】
本願発明は、上記背景技術に鑑みてなされたものであり、その課題は、中間層の両面に樹脂フィルムが積層されてなる和風照明器具カバー材料、和風照明器具カバー及び和風照明器具である場合であっても、低誘虫性であり、複雑なデザインにも対応可能である和風照明器具カバー材料、和風照明器具カバー及び和風照明器具を提供することである。
【課題を解決するための手段】
【０００９】
上記課題を解決するために、請求項１に記載された発明は、中間層の両面に樹脂フィルムが積層されてなる透光性を有する和風照明器具カバー材料であって、紙又は不職布からなる中間層に紫外線吸収剤が保持されてなる和風照明器具カバー材料である。
【００１０】
また請求項２に記載された発明は、中間層の両面に樹脂フィルムが積層されてなる透光性を有する和風照明器具カバー材料であって、紙又は不職布からなる中間層に害虫忌避剤が保持されてなる和風照明器具カバー材料である。
【００１１】
また請求項３に記載された発明は、請求項１又は２に記載の和風照明器具カバー材料を用いてなる和風照明器具カバーである。
【００１２】
また請求項４に記載された発明は、請求項３に記載の和風照明器具カバーを用いてなる和風照明器具である。
【発明の効果】
【００１３】
請求項１に記載された発明によれば、中間層に空隙が多く柔軟である紙又は不職布からなる中間層を用い、これに紫外線吸収剤を保持させているので、十分な量の紫外線吸収剤を保持させることができ、かつ加工性が低下することもない。
【００１４】
請求項２に記載された発明によれば、中間層に空隙が多く柔軟である紙又は不職布からなる中間層を用い、これに害虫忌避剤を保持させているので、十分な量の害虫忌避剤を保持させることができ、かつ加工性が低下することもない。
【００１５】
請求項３に記載された発明によれば、低誘虫性を確保し、かつ加工性もよく複雑なデザインの和風照明器具カバーを提供できる。
【００１６】
請求項４に記載された発明によれば、複雑な凹凸形状があっても昆虫類や蛾類の誘引に基づく汚れが減少し、照明器具のメンテナンスが容易となる。
【発明を実施するための最良の形態】
【００１７】
本願発明の第一実施形態として、本願の請求項１、３及び４に対応した和風照明器具カバー材料１、和風照明器具カバー及び和風照明器具について図１により説明する。
【００１８】
本第一実施形態の和風照明器具カバー材料１は、中間層２の両面に樹脂フィルム３が積層されてなるものであって、紙又は不職布からなる中間層２に紫外線吸収剤４が保持されてなる。
【００１９】
また、本第一実施形態の和風照明器具カバーは、かかる和風照明器具カバー材料１を用いてなる。
【００２０】
さらに、本第一実施形態の和風照明器具は、かかる和風照明器具カバーを用いてなる。      
【００２１】
以下、本第一実施形態による和風照明器具カバー材料１を、より具体的詳細に説明する。
【００２２】
最初に、中間層２であるが、これは厚みが０．０２〜２．０ｍｍ程度の紙又は不職布からなる。外観及び透光性から和紙が好ましい。厚みが０．０２ｍｍ以下では紫外線吸収剤の保持が十分ではなく、２．０ｍｍ以上では加工性が悪くなる。好ましくは、０．１〜１．０ｍｍが適している。
【００２３】
樹脂フィルム３は、アクリル樹脂、塩化ビニル樹脂、ポリエステル樹脂等の透明または半透明の合成樹脂からなる１枚の厚みが０．０３〜３．０ｍｍ程度の透光性のある合成樹脂フィルムである。厚みが０．０５以下では作業性が悪くなり、３．０以上では加工性が悪くなる。好ましくは、０．１〜０．５が適している。
【００２４】
紫外線吸収剤４は、波長３４０〜３８０ｎｍの範囲に吸収波長ピークのあるものが好ましく、例えばベンゾトリアゾール系、ベンゾフェノン系、トリアジン系などが挙げられる。これらの化合物としては、２，２′−ジヒドロキシ−４−メトキシベンゾフェノンあるいは、２，２′−ジヒドロキシ−４，４′−ジメトキシベンゾフェノン、２，２′，４，４′−テトラヒドロキシ−ベンゾフェノン、２−（２′−ヒドロキシ−３′−ｔ−ブチル−５′−メチルフェニル）−５−クロロベンゾトリアゾール、２−（２′−ヒドロキシ−３′，５′−ジ−ｔ−ブチルフェニル）−５−クロロベンゾトリアゾール、２−（２′−ヒドロキシ−４′−オクトキシフェニル）ベンゾトリアゾール、オクチル−３−［３−ｔ−ブチル−４−ヒドロキシ５−（５−クロロ−２Ｈ−ベンゾトリアゾール−２−イル）フェニル］プロピオネート（チバスペシャルティケミカルズ株式会社製；商品名「チヌビン１０９」）、２−［５−クロロ（２Ｈ）−ベンゾトリアゾール−２−イル］−４−メチル−６−（ｔ−ブチル）フェノール（チバスペシャルティケミカルズ株式会社製；商品名「チヌビン３２６」）、２，４−ジ−ｔ−ブチル−６−（５−クロロベンゾトリアゾール−２−イル）フェノール（チバスペシャルティケミカルズ株式会社製；商品名「チヌビン３２７」）、２−［４−［（２−ヒドロキシ−３−ドデシルオキシプロピル）オキシ］−２−ヒドロキシフェニル］−４、６−ビス（２，４−ジメチルフェニル）−１，３，５−トリアジン、２−［４−（２−ヒドロキシ−３−トリデシルオキシプロピル）オキシ］−２−ヒドロキシフェニル］−４，６−ビス（４，６−ビス（２，４−ジメチルフェニル）−１，３，５−トリアジン、２，４−ビス（２，４−ジメチルフェニル）−６−（２−ヒドロキシ−４−イソ−オクチルフェニル）−ｓ−トリアジン、イソオクチル置換トリスレゾルシノールトリアジンが例示される。これらは単体あるいは２種以上の混合物として中間層又は樹脂フィルムに添加してもよい。コスト及び物性から２−［５−クロロ（２Ｈ）−ベンゾトリアゾール−２−イル］−４−メチル−６−（ｔ−ブチル）フェノール（チバスペシャルティケミカルズ株式会社製；商品名「チヌビン３２６」）、オクチル−３−［３−ｔ−ブチル−４−ヒドロキシ５−（５−クロロ−２Ｈ−ベンゾトリアゾール−２−イル）フェニル］プロピオネート（チバスペシャルティケミカルズ株式会社製；商品名「チヌビン１０９」）、イソオクチル置換トリスレゾルシノールトリアジン等が好ましい。
【００２５】
紫外線吸収剤４は、中間層２に保持されるが、これは、紫外線吸収剤４を分散させた溶液をスプレー噴霧したり、かかる溶液中に中間層２を含浸させたり、接着剤に混錬することで紫外線吸収剤層として、中間層２の表面に転写することで実施される。
【００２６】
中間層２の表面に転写する場合には、接着剤としてはアクリル樹脂やエポキシ樹脂のような任意の接着剤を使用することができ、紫外線吸収剤４の添加量としては、接着剤に対して１〜３％であることが好ましい。０．５％以下では低誘虫性が発現しがたく、５％以上ではコストがアップする。
【００２７】
次に中間層２と樹脂フィルム３の積層方法であるが、例えば、紫外線吸収剤層をグラビアコーター、バーコーター、ロールコーター等で中間層２の表裏両面に塗布し、これを樹脂フィルム３の間に挟みこみ熱プレスにて硬化する方法や、任意の溶媒に溶解した樹脂溶液をスプレー噴霧し、その後加熱することで樹脂フィルム３を形成するものとしてもよい。なお積層にあたり中間層２や樹脂フィルム３の表面のカップリング剤や放射線処理によって改質しても構わない。
【００２８】
和風照明器具カバーは、得られた和風照明器具カバー材料１を折り曲げ成形、プレス成形等の汎用の加工により得られる。
【００２９】
和風照明器具は、得られた和風照明カバーを、点灯装置と光源と組合せて得られる。
光源は放電灯や発光ダイオード等、汎用のものを使用することができる。
【００３０】
続いて、本願発明の第二実施形態として、本願の請求項２、３及び４に対応した和風照明器具カバー材料１、和風照明器具カバー及び和風照明器具について図１により説明する。
【００３１】
本第二実施形態の和風照明器具カバー材料１は、中間層２の両面に樹脂フィルム３が積層されてなる透光性を有する和風照明器具カバー材料１であって、紙又は不職布からなる中間層２に害虫忌避剤５が保持されてなる。
【００３２】
また、本第二実施形態の和風照明器具カバーは、かかる和風照明器具カバー材料１を用いてなる。
【００３３】
さらに、本第二実施形態の和風照明器具は、かかる和風照明器具カバーを用いてなる。      
【００３４】
以下、本第二実施形態による和風照明器具カバー材料１を、より具体的詳細に説明するが、第一実施形態と相違する害虫忌避剤５についてのみ説明する。
【００３５】
害虫忌避剤５は、害虫の誘引を阻害するもので、常温又は熱によって気化するものである。例えば、ナフタリン、パラジクロルベンゼン、シクロプロパンカルボン酸エステル、ピレスロイド、ジメチルトルアミド材料が例示される。これらは単体あるいは２種以上の混合物として樹脂フィルム又は中間層に添加してもよい。コスト及び物性からナフタリン、シクロプロパンカルボン酸エステル、ピレスロイドが好ましい。
【００３６】
なお害虫忌避剤５の気化を促進するために、樹脂フィルム３に微小な空孔があることが好ましい。
【００３７】
ここで、紫外線吸収剤４又は害虫忌避剤５を中間層２に保持させた場合の誘虫性と加工性について、表１に示す本願発明の実施例１〜６、比較例１〜４について、説明する。
【００３８】
【表１】
2007122978.tif 000003
【００３９】
ここで表１は、樹脂フィルム３の種類及び厚さ、中間層２の種類及び厚さ、紫外線吸収剤４を有する紫外線吸収材層の種類及び厚さ、害虫忌避剤５を有する害虫忌避剤層の種類及び厚さ、のそれぞれの組合せについて、誘虫性、加工性を求めたものである。
【００４０】
樹脂フィルム３には中間層２に保持させたものと同じ紫外線吸収剤４又は害虫忌避剤５を１．５％含有させた。
【００４１】
そして、上述の紫外線吸収剤層又は害虫忌避剤層を表裏両面に塗布した中間層２を樹脂フィルム３の間に挟みこみ熱プレスにて硬化することで和風照明器具カバー材料１を得たが、紫外線吸収剤層又は害虫忌避剤層は、それぞれ紫外線吸収剤４又は害虫忌避剤５を１．５％含有させた。
【００４２】
また、誘虫性は、一面を照射面として３００ｍｍ×３００ｍｍの大きさで開口し他の面を非照射面とした略立方体の筺体の内部に、光源（松下電器産業製１３Wコンパクト型蛍光灯）を備え、さらに開口に本第一実施例及び第二実施例にかかる和風照明器具カバー材料１を、備えた照明器具を、屋外で１時間点灯し、開口近傍に設けた３００ｍｍ四方の粘着シートに補足された虫の数によって評価した（表１においては比較例１の場合の相捕虫数を１００とした場合の相対値で記載する）。
【００４３】
加工性は、和風照明器具カバー材料１であるシートに対する折り曲げの触感で判定した。
【００４４】
以上に示すごとく、実施例１〜４と比較例１〜４の結果から明らかなように、本実施形態によれば、中間層２に空隙が多く柔軟である紙又は不職布からなる中間層２を用い、これに紫外線吸収剤４を保持させているので、十分な量の紫外線吸収剤４を保持させることができ、かつ加工性が低下することもない。
【００４５】
また、実施例５〜６と比較例１〜４の結果から明らかなように、中間層２に空隙が多く柔軟である紙又は不職布からなる中間層２を用い、これに害虫忌避剤５を保持させているので、十分な量の害虫忌避剤を５保持させることができ、かつ加工性が低下することもない。
【００４６】
また、実施例１〜６と比較例１〜４の結果から明らかなように、低誘虫性を確保し、かつ加工性もよく複雑なデザインの和風照明器具カバーを提供できる。
【００４７】
さらに、実施例１〜６と比較例１〜４の結果から明らかなように、複雑な凹凸形状があっても昆虫類や蛾類の誘引に基づく汚れが減少し、照明器具のメンテナンスが容易となる。
【図面の簡単な説明】
【００４８】
【図１】本願発明の第一実施形態における和風照明器具カバー材料の断面図
【図２】本願発明の第二実施形態における和風照明器具カバー材料の断面図
【符号の説明】
【００４９】
１      和風照明器具カバー材料
２      中間層
３      樹脂フィルム
４      紫外線吸収剤
５      害虫忌避剤
【図１】
2007122978.tif 000004
【図２】
2007122978.tif 000005